(57)【要約】  【課題】印刷インクや印刷物に可視光や紫外線などの光学、又は磁気、あるいは潜像を用いるなど旅券における偽造、変造を防止する技術は高度化しているにも拘らず、偽変造旅券の数は漸増している。また、旅券に生体情報を付加した場合に情報漏洩による盗用の危険性があり、偽変造を更に困難とし且つセキュリティ性を向上させた旅券が望まれている。  【解決手段】そこで、本発明は旅券所持者の個性を現す生体情報に代わるものとして旅券自体が有するパルプ繊維等の構成分布を検出して固有の識別データとし、この識別データと旅券所持者の生体情報とをＩＣチップに格納して付し、該ＩＣチップが記憶した情報を別途データベースに格納し、照合を行う。  【選択図】図２
2007050643.tif 000002
【特許請求の範囲】
【請求項１】
不特定多数の方向を向くようにランダムに混入された素子であって高分子材料からなる可撓性の素子本体に磁性金属粉を混入した多数の繊維状の磁性ポリマー素子を紙のパルプ繊維にすき込むことで構成する旅券。
【請求項２】
不特定多数の方向を向くようにランダムに混入された素子であって高分子材料からなる可撓性の素子本体に磁性金属粉を混入した多数の繊維状の磁性ポリマー素子を紙のパルプ繊維にすき込むことで構成する旅券であって、
該旅券の所定の走査域から得られる検出信号及び旅券所持者の生体情報を格納したＩＣチップを具備することを特徴とする。
【請求項３】
請求項２の旅券におけるＩＣチップに格納した検出信号及び生体情報をデータベースに登録し、
旅券を走査することで検出する検出信号及び旅券所持者の生体と、ＩＣチップが記憶する情報とを照合し、加えてＩＣチップが記憶する情報とデータベースに登録された情報とを照合する旅券及び旅券所持者の真偽判別方法。
【発明の詳細な説明】
【技術分野】
【０００１】
本発明は、偽造及び変造を防止する旅券およびその真偽判定方法に関する。
【背景技術】
【０００２】
旅券などの偽変造を防止する技術として、冊子にＩＣカードを隠蔽して固定するＩＣ付き冊子（例えば、特許文献１）、ＩＣチップを抄き込んだ紙を含む多層からなる抄き合せ紙（例えば、特許文献２）、冊子に固有の穿孔郡を設けそこに秘匿情報を埋め込むことでなりすましを防止する冊子（例えば、特許文献３）、紙に磁性ポリマー素子をすき込ませて走査する技術（例えば、特許文献４）、等がある。
【特許文献１】特開２００５−４７１７３号公報
【特許文献２】特開２００５−１７１３９６号公報
【特許文献３】特開２００５−１９９５３３号公報
【特許文献４】特許２８２１３５２号
【発明の開示】
【発明が解決しようとする課題】
【０００３】
印刷インクや印刷物に可視光や紫外線などの光学、又は磁気、あるいは潜像を用いるなど旅券における偽造、変造を防止する技術は高度化しているにも拘らず、例えば、旅券そのものは本物で顔写真のみを貼り替えたり、縫い糸を外して１ページのみを差替えて本物の糸で閉じ直したりした偽変造旅券が日々発見されており、その件数は漸増している。
【０００４】
このように、旅券に多くの偽変造防止技術を用いているにも拘らず偽変造が漸増し続ける理由としては、印刷技術等を駆使して一度偽変造物を作製するとその後大量生産できる点が指摘されており、偽変造防止技術と偽変造行為とのいたちごっこが続いている。
【０００５】
そこで、安全性を高める為に国際民間航空機関では生体情報を格納した非接触型ＩＣチップを旅券に付すことを国際標準とし、これに関連して特許文献１及び特許文献２ではＩＣチップを剥離し偽造や改ざんすることを困難にした旅券、また、特許文献３では旅券に固有の穿孔郡を設けそこに埋め込んだ秘匿情報とＩＣチップに格納した情報とを照合する技術を開示する。
【０００６】
しかし、特許文献１や特許文献２などの偽変造を困難にする技術は、本物の旅券からＩＣチップを剥離し偽物のＩＣチップを搭載することを防止するものであり、旅券全ての偽造を想定するものではなく、また、ＩＣチップ自体の剥離は防止できるがＩＣチップが記憶する旅券所持者の氏名や住所、生年月日、出生地など個人情報の漏洩防止を想定していない。例えば、他国と復号化の方法を共有するリスクを理由として暗号化しない場合、ＩＣチップの適切な読み取り機により第三者が旅券に直接触れることなく不当に個人情報を盗られる危険性が指摘されており、個人情報が指紋や虹彩などの生体情報の場合には情報自体の変更が不可能であることから、一度情報が漏洩すると永続的に盗用される虞がある。
【０００７】
また、これらの偽変造防止技術を累加していく方法は、従前の旅券と同様偽変造物を大量生産する試みを頓挫させる効果に乏しい。
【０００８】
特許文献３においては、冊子に固有情報となる穿孔群を設けることで偽造を困難にしたが、必ずしも複製できないものではない。
【０００９】
そして、旅券は世界中の国々で使用されることから、高度な偽変造防止を用いても世界各国において真偽判別できなければ実効性に欠け、加えて真偽判別に要する時間の短い簡易な判別手段が望まれている。
【課題を解決するための手段】
【００１０】
そこで、本発明は旅券所持者の個性を現す生体情報に代わるものとして旅券自体が有するパルプ繊維等の構成分布をデータ化し固有の識別データとし、また、この識別データと旅券所持者の個人データをＩＣチップに格納して付し、このＩＣチップが記憶した情報は別途データベースを設け格納する。そして、真偽判別を行う際は第一にパルプ繊維等の識別データとＩＣチップが記憶する情報と旅券所持者との照合、第二にＩＣチップが記憶する情報とデータベースの情報との照合、と２段階設けることにより、これら課題を克服する旅券及びその真偽判定方法を提供する。
【００１１】
旅券は、主としてパルプ繊維と、不特定多数の方向を向くようにランダムに混入された素子であって高分子材料からなる可撓性の素子本体に磁性金属粉を混入した多数の繊維状の磁性ポリマー素子と、によって構成され、所定の領域に磁性ポリマー素子を走査する走査域と、当該走査域より得られる検出信号と旅券所持者の生体情報とを記憶したＩＣチップを具備する。
【発明の効果】
【００１２】
旅券を構成するパルプ繊維の中に磁性ポリマー素子を含むパルプ繊維を織り交ぜ、所定走査域の磁気情報を記憶することで、旅券を構成する繊維配置を固有の識別データとして認識することができる。また、これにより指紋や虹彩などの人間の生体情報と同等な識別データを旅券に持たせることができる。
【００１３】
そして、パルプ繊維と磁性ポリマー素子、更には磁性ポリマー素子に混入した磁性金属粉がランダムかつ立体的に分布することで、複製を著しく困難にし、旅券の偽造を防止することができる。
【００１４】
識別データと旅券とを一体化させたことにより、これらは分離することができず、それぞれに固有の繊維構成を持つことから、旅券の偽造を試みたとしても大量生産することができなくなる。また、大量生産できないことで偽造に対するインセンティブを削ぐ効果も期待できる。
【００１５】
そして、ＩＣチップが記憶する旅券所持者の生体情報と旅券の識別データとを別途データベースに格納し照合することで、ＩＣチップの剥離などによるＩＣチップの偽変造を容易に発見することができ、また、真偽判別の為の照合を２段階設けたことによって、真偽判別を合理的に処理することができる。
【００１６】
すなわち、旅券は各個人が所持することで常に個人情報が漏洩する可能性を帯びるのであるから、旅券に記憶する生体情報は顔画像などに限定し、指紋や虹彩などの生体情報は公的機関のデータベースに格納し照合することで、情報漏洩の危険性を軽減すると同時に出入国審査の精度を向上させることができる。
【００１７】
旅券所持者の指紋や虹彩などの生体情報を旅券のＩＣチップに格納した場合、旅券が盗難や紛失した際にそれら生体情報を盗用される危険があるが、旅券を構成するパルプ繊維等の配置を識別データとしたことで、これらの危険を回避することができる。
【００１８】
旅券を盗難又は紛失等した際には、その旅券固有の識別データを無効にし、旅券発行の都度に新たな識別データを付与することができる。また、識別データに価値を持たせないことにより、盗難や紛失に伴う情報漏洩のリスクが軽減し、暗号化する必要性もなくなる。
【発明を実施するための最良の形態】
【００１９】
特許文献４において開示され図１にも示すように、高分子材料からなる素子本体に磁性金属粉を混入した多数の繊維状の磁性ポリマー素子１を設け、紙のパルプ繊維２にすき込ませてなる旅券３を設ける。その際、磁性金属粉は多様な出力パターンを得るために故意に不均一に混入する。磁性ポリマー素子１は極めて柔軟であり、可撓性に富んでいるため曲げても折れず、パルプ繊維２と立体的に絡み合うため状態安定性が極めて高くなる。
【００２０】
次に、旅券３の所定の位置にＩＣチップ４及び走査域５を設け、ＩＣチップ４には旅券所持者の生体情報たる顔画像データ及び走査域５を走査することで得る固有の検出信号を旅券の識別データとして格納する。尚、走査域５を走査することで得る固有の検出信号は、指紋や虹彩などの生体情報と同様に他と一致することがない為、旅券の個性を現す識別データとして生体情報と同等の効用がある。
【００２１】
また、ＩＣチップに格納する情報を旅券所持者の顔画像と旅券の識別データに限定することにより、これら情報は必ずしも暗号化する必要がなくなり、よって国家間における復号化共有の必要性も緩和する。更に、旅券のたる識別データ自体には価値がないので、盗用される虞もない。
【００２２】
そして、パルプ繊維と金属紛をランダムに混入された繊維状の磁性ポリマー素子とによって構成される旅券を偽造することは極めて困難であり、ＩＣチップが記憶する情報を改竄してもＩＣチップの情報は別途データベースに登録されていることから、偽変造物はその通用する余地がなくなる。
【００２３】
ＩＣチップ４に格納した顔画像データ及び旅券の識別データは、別途に設けたデータベースに旅券所持者の個人情報と共に登録する。また、旅券所持者の個人情報には指紋や虹彩などの生体情報を加味した方が好ましい。
【００２４】
旅券の真偽判別及び旅券所持者の本人確認をするには、まず、走査域５を所定速度で走査することにより磁性ポリマー素子１に応じた検出信号を得て、ＩＣチップリーダによりＩＣチップ４が記憶する識別データ及び顔画像データを得る。
【００２５】
次に、旅券に貼付又は印刷されている旅券所持者の顔写真と本人との照合、ＩＣチップが記憶する顔画像と旅券の顔写真及び本人との照合、走査域５を走査することで得た識別データとＩＣチップが記憶する識別データとの照合、を行う。
【００２６】
更なる照合が必要な場合には、旅券の識別データとデータベースの識別データとの照合、あるいはデータベースに記録された指紋や虹彩等の生体情報に基づいて本人確認を行うことによって旅券の真偽判別、加えて旅券所持者の成りすましを発見する。
【図面の簡単な説明】
【００２７】
【図１】磁性ポリマー素子をパルプ繊維にすき込ませた拡大図である。
【図２】本発明実施例の旅券の構造を示す図である。
【図３】本発明実施例の旅券を示す図である。
【符号の説明】
【００２８】
１磁性ポリマー素子
２パルプ繊維
３旅券
４ＩＣチップ
５走査域
【図１】
2007050643.tif 000003
【図２】
2007050643.tif 000004
【図３】
2007050643.tif 000005